(57)【特許請求の範囲】
【請求項１】
左右１対の支柱の上端部同士、および下端部同士を、左右方向を向く上下の横連結杆をもって互いに連結してなる陳列棚等のフレーム構造において、
左右の支柱の対向面の上部に切込孔を、かつその若干下方に、内端部に内方を向くめねじ筒を有する内向きの固定金具を、それぞれ設け、上方の横連結杆の両端部には、その端面より突出する下向きフックと、側端面に係合孔を穿設した下方を向く補強部材とを設け、上方の横連結杆と補強部材との側端を各支柱の対向面に当接させて、各フックを対応する切込孔にそれぞれ係止し、かつ前記固定金具を補強部材の係合孔に嵌合させるとともに、前記固定金具へ内方から被せて補強部材の側端面に内方から当接させた固定枠を介して、締付ねじを前記めねじ筒に螺合させたことを特徴とする陳列棚等のフレーム構造。
【請求項２】
前記固定金具の外端部に、上向きフックと下向きフックを設け、その両フックを、左右の支柱の対向面に穿設した装着孔の上下の縁に、それぞれ係止させることにより、固定金具を支柱に装着したことを特徴とする請求項１記載の陳列棚等のフレーム構造。
【請求項３】
左右の支柱の対向面の下部に係止孔を、かつその若干上方に、内端部に内方を向くめねじ筒を有する内向きの固定金具をそれぞれ設け、下方の横連結杆の両端部には、その端面より突出する下向きフックと、側端面に係合孔を穿設した上方を向く補強部材とを設け、下方の横連結杆と補強部材との側端を各支柱の対向面に当接させて、各フックを対応する係合孔にそれぞれ係止し、かつ前記固定金具を補強部材の係合孔に嵌合させるとともに、前記固定金具へ内方から被せて、補強部材の側端面に内方から当接させた固定枠を介して、締付ねじを前記めねじ筒に螺合させたことを特徴とする請求項１または２に記載の陳列棚等のフレーム構造。
【発明の詳細な説明】
【０００１】
【発明の属する技術分野】
本発明は、商品陳列棚や棚を設けない商品陳列什器、または間仕切等（以下、陳列棚等という）における方形枠状のフレーム構造、特に、左右１対の支柱の上端部同士、および下端部同士を、左右方向を向く横連結杆をもって互いに連結してなる陳列棚等のフレーム構造に関する。
【０００２】
【従来の技術】
従来のこの種の陳列棚等においては、左右の支柱と上下の横連結杆との間に、背面板が設けられており、この背面板が筋かい等と同様の役目をして、支柱と横連結杆とを強固に連結しなくとも、支柱の横揺れを防止し得るようになっている。
【０００３】
【発明が解決しようとする課題】
しかし、近年、いわゆる対面販売ができるように、あるいは店舗内を広く見渡せるようにしたり、大型商品を支柱の前後の棚板に亘って載置させたりし得るようにするため、背面板を取り除き、いわゆるオープンタイプにすることが要望されている。
【０００４】
ところが、従来の構造から背面板を取り除くと、支柱の横揺れに対する強度が十分に保てない。また、支柱がぐらついて連結部に間隙が生じるおそれがある。
【０００５】
本発明は、従来の技術が有する上記のような問題点に鑑み、背面板を設けることなく、支柱の横揺れ等に対する十分な強度を保つことができるとともに、簡単に組立てたり、分解したりしうるようにした陳列棚等のフレーム構造を提供することを目的としている。
【０００６】
【課題を解決するための手段】
本発明によると、上記課題は、次のようにして解決される。
(１)  左右１対の支柱の上端部同士、および下端部同士を、左右方向を向く上下の横連結杆をもって互いに連結してなる陳列棚等のフレーム構造において、左右の支柱の対向面の上部に切込孔を、かつその若干下方に、内端部に内方を向くめねじ筒を有する内向きの固定金具を、それぞれ設け、上方の横連結杆の両端部には、その端面より突出する下向きフックと、側端面に係合孔を穿設した下方を向く補強部材とを設け、上方の横連結杆と補強部材との側端を各支柱の対向面に当接させて、各フックを対応する切込孔にそれぞれ係止し、かつ前記固定金具を補強部材の係合孔に嵌合させるとともに、前記固定金具へ内方から被せて補強部材の側端面に内方から当接させた固定枠を介して、締付ねじを前記めねじ筒に螺合させる。
【０００７】
(２)  上記(１)項において、前記固定金具の外端部に、上向きフックと下向きフックを設け、その両フックを、左右の支柱の対向面に穿設した装着孔の上下の縁に、それぞれ係止させることにより、固定金具を支柱に装着する。
【０００８】
(３)  上記(１)または(２)項において、左右の支柱の対向面の下部に係止孔を、かつその若干上方に、内端部に内方を向くめねじ筒を有する内向きの固定金具をそれぞれ設け、下方の横連結杆の両端部には、その端面より突出する下向きフックと、側端面に係合孔を穿設した上方を向く補強部材とを設け、下方の横連結杆と補強部材との側端を各支柱の対向面に当接させて、各フックを対応する係合孔にそれぞれ係止し、かつ前記固定金具を補強部材の係合孔に嵌合させるとともに、前記固定金具へ内方から被せて、補強部材の側端面に内方から当接させた固定枠を介して、締付ねじを前記めねじ筒に螺合させる。
【０００９】
【発明の実施の形態】
図１および図２は、それぞれ本発明の陳列棚等におけるフレーム構造の一実施形態の正面図および側面図である。
【００１０】
フレーム(１)は、左右１対の支柱(２)(２)の上端部および下端部同士を、左右方向を向く上下の横連結杆(３)(４)をもって互いに連結して形成されている。
【００１１】
左右の支柱(２)(２)の下端には、前後方向を向く脚杆(５)がそれぞれ設けられ、各脚杆(５)の前後端部と支柱(２)の下端には、高さ調節用のアジャスタボルト(６)が設けられている。
【００１２】
各支柱(２)の前後面には、多数のスリット状の係止孔(７)が左右２列として、上下方向に等間隔をもって穿設されており、左右の支柱(２)(２)の等高をなす適宜の係止孔(７)に、棚板ブラケット（図示略）の後端に設けた下向きフックをそれぞれ係止し、左右の棚板ブラケットをもって棚板（図示略）を支持することにより、陳列棚が形成されるようになっている。
【００１３】
次に、各支柱(２)と横連結杆(３)(４)との具体的な連結構造について説明する。
図３は、図１における右側上下隅部の拡大縦断正面図、図４は、右側上隅部の拡大分解斜視図である。
【００１４】
図４に示すように、各支柱(２)は、前後方向に長い方形断面の角管からなり、左右の支柱(２)(２)の互いに対向する面（その一方のみを図示する）を形成する内側片(2a)の上端には、前後１対のスリット状の切込孔(８)(８)が、下方に向けて切設されており、その下方中央には、切込孔(８)よりも前後幅を広くした、縦長の装着孔(９)が穿設されている。
【００１５】
各支柱(２)の上端は、上部カバー(10)により閉塞されるようになっている。
上部カバー(10)は、支柱(２)の上端の外形とほぼ同一の外形を有する閉塞板(10a)と、閉塞板(10a)の下面前後部に固着され、支柱(２)の上端部に嵌合されたとき、支柱(２)の前後壁の内面に圧接して、上部カバー(10)を上方へ抜けにくくする板ばね(10b)とを備えている。
【００１６】
上方の横連結杆(３)は、前後方向に長い方形断面の角管よりなり、その下片(3a)の左右の端部面の中央には、方形の切欠き(3b)（図３参照）が形成されている。
【００１７】
横連結杆(３)における上片(3c)の両端部下面には、前後１対の腕片(11)(11)の上端部同士を連結する連結片(12)が、溶接により固着されている。
【００１８】
前後の腕片(11)(11)は、前記切欠き(3b)に嵌合され、かつその外端には、横連結杆(３)の左右端部より外側方に突出するとともに、上下縁を下向きに傾斜させた前後１対のフック片(13)(13)が連設されている。
【００１９】
すなわち、各フック片(13)の下縁は、支柱(２)の内側片(2a)への係合を容易にするため、外下方へ傾斜する傾斜部(13a)とされている。
【００２０】
横連結杆(３)の下片(3a)の両端部下面には、正面形が倒立直角三角状をなす補強部材(14)が固着されている。
【００２１】
各補強部材(14)は、横連結杆(３)の側端とほぼ同一面をなして、支柱(２)の内側片(2a)に当接しうる垂直の当接片(14a)と、この当接片(14a)の前後から内方に向かって直角に折曲され、かつ上縁が横連結杆(３)の下片(3a)に溶接された正面視倒立直角三角状の１対の側片(14b)(14b)とからなっている。
【００２２】
当接片(14a)の上端部には、前後１対のスリット状の支持溝(15)(15)が、当接片(14a)の上端から下方に向けて切設けられており、各支持溝(15)に、前後の腕片(11)(11)の下端部を嵌合することにより、前後方向の位置ずれを防止している。
【００２３】
また、当接片(14a)の下端部中央における、支柱(２)の内側片(2a)の装着孔(９)と整合する部位には、縦長方形の係合孔(16)が穿設されている。
【００２４】
横連結杆(３)の左右の端部は、その側端面と当接片(14a)とを、各支柱(２)の内側片(2a)に当接させて、前後１対のフック片(13)(13)を、支柱(２)の前後の切込孔(８)(８)に上方から係止させることにより、支柱(２)に連結されている。
【００２５】
支柱(２)の装着孔(９)には、固定金具(17)が装着されるようになっている。
【００２６】
固定金具(17)は、前記装着孔(９)の前後幅より厚さがやや薄い、側方向を向く垂直板(19)の外側方に、上向きフック(19a)と下向きフック(19b)とを設け、かつ同じく内面に、内方を向くめねじ筒(20)と一体をなす垂直の支持片(18)を設けて形成されている。
【００２７】
垂直板(19)の内端部のうち、めねじ筒(20)の基部との対向部分には凹入孔(19c)が設けられ、めねじ筒(20)に内方より螺合された締付ねじ(21)の外端が、その凹入孔(19c)内に突入しうるようになっている。
【００２８】
固定金具(17)は、次のようにして、支柱(２)の装着孔(９)に装着される。固定金具(17)を、横連結杆(３)に溶着された補強部材(14)の内部に位置させて、固定金具(17)の上向きフック(19a)および下向きフック(19b)を、補強部材(14)の係合孔(16)、および支柱(２)の装着孔(９)を経て、両フック(19a)(19b)を装着孔(９)の上下の内縁にそれぞれ係止させる。これにより、両フック(19a)(19b)以外の部分が、支柱(２)の内側片(2a)から支柱(２)外へ突出した状態で、固定金具(17)は支柱(２)に装着される。
【００２９】
なお、固定金具(17)における垂直板(19)の上縁は、両フック(19a)(19b)の、前記係合孔(16)および装着孔(９)への挿通を容易にするため、外方へ向かう下り傾斜状に形成されている。
【００３０】
補強部材(14)の係合孔(16)に嵌合されて、支柱(２)に装着された固定金具(17)のめねじ筒(20)には、固定金具(17)に内方から被って補強部材(14)の当接片(14a)の内面に当接する固定枠(22)の内方から挿入した締付ねじ(21)が螺合される。
【００３１】
固定枠(22)は、正面視が外向きコ字形で、その上下片(22a)(22b)を連結する側片(22c)には、締付ねじ(21)のねじ部(21a)よりやや大径で頭部より小径の通孔(22d)が穿設されている。
【００３２】
上下片(22a)(22b)間の内寸は、固定金具(17)における支持片(18)の縦寸よりも大きくしてあり、固定枠(22)を固定金具(17)の内方から被せて、上下片(22a)(22b)の外端面を、補強部材(14)の当接片(14a)の内面に当接させるとともに、締付ねじ(21)を、前記通孔(22d)を経て、固定金具(17)におけるめねじ筒(20)へ螺合して締付けることにより、横連結杆(３)は、補強部材(14)を介して支柱(２)に強固に連結される。
【００３３】
図５は、図１における右側下隅部の拡大分解斜視図である。
図３、図５に示すように、支柱(２)の内側片(2a)における下端近傍には、前後１対のスリット状の係止孔(23)(23)が穿設されており、その上方中央には、前記装着孔(９)と同様の装着孔(24)が穿設されている。
【００３４】
１対の係止孔(23)(23)より下方における内側片(2a)の中央と、外側片(2b)とには、それぞれ互いに整合する通孔(25)(25)が穿設されている。
【００３５】
各支柱(２)の装着孔(24)には、前記と同様の固定金具(17)が、前記と同様にして、装着されている。
【００３６】
下方の横連結杆(４)は、上面中央に、背面板（図示せず）を用いるとき（本実施例では用いない）の受け溝となる凹溝(26)が設けられた上片(4a)と、その前後の縁から垂下する垂下片(4b)(4b)とからなり、断面形が下向きコ字状をなしている。
【００３７】
横連結杆(４)の左右の端部の上面には、前記の補強部材(14)と上下対称形状をなす、係合孔(27b)が穿設された補強部材(27)が固着され、前記と同様にして、補強部材(27)を介して下方の横連結杆(４)が、支柱(２)に強固に連結されている。
【００３８】
横連結杆(４)の左右の端部の下面には、平面形が内向きコ字状をなす連結部材(28)の上端部が固着されている。
【００３９】
したがって、横連結杆(４)の各端部は、上方の補強部材(27)と下方の連結部材(28)とにより、正面視横向きＴ字状をなしている。
【００４０】
連結部材(28)は、横連結杆(４)の側端面、および補強部材(27)の当接片(27a)とほぼ同一面をなして支柱(２)の内側片(2a)に当接される当接片(28a)と、その前後の端部から内方に向かって直角に折曲され、かつ上端部外面が横連結杆(４)の各垂下片(4b)の内面に溶接された前後１対の側片(28b)(28b)とからなっている。
【００４１】
当接片(28a)の上部には、その両側部を切欠いて、前後１対の外側方に突出する下向きフック(29)(29)が切り起こされている。
【００４２】
当接片(28a)における下向きフック(29)(29)より下方の中央部には、通孔(30)が穿設されている。
【００４３】
横連結杆(４)の左右の端部は、その各側端面と当接片(27a)(28a)とが各支柱(２)の内側片(2a)に当接するようにして、１対の下向きフック(29)(29)を支柱(２)の係止孔(23)(23)に嵌合係止し、支柱(２)の外側片(2b)側から、通孔(25)(25)にボルト(30)を挿通し、ナット(31)を螺合して締付けることにより、支柱(２)の下部に強固に連結されている。
【００４４】
【発明の効果】
本発明によると、次のような効果を奏することができる。
(１)  請求項１記載の発明のよれば、各フックを切込孔に係止するとともに、支柱に取付けた固定金具を、補強部材の係合孔に嵌合させ、前記固定金具へ被せて補強部材の内面に当接させた固定枠を介して、締付ねじによって、固定金具を引寄せてあるため、前記横連結杆は、支柱に強固に連結される。
また、上方の横連結杆と補強部材との側端が、支柱の対向面に当接するようにして、連結されているため、背面板や筋かい等を設けなくても、横揺れ等に対しても十分な強度を保つことができる。
さらに、用いる締付ねじの本数が少なく、容易かつ簡単に組立および分解ができる。
【００４５】
(２)  請求項２記載の発明によれば、固定金具を、支柱に簡単かつ確実に取付けることができるとともに、締付ねじで強固に締付けても、固定金具が支柱から脱落することがない。
【００４６】
(３)  請求項３記載の発明によれば、左右の支柱と上下の横連結杆との連結部分のすべての内隅に、支柱に当接する補強部材が設けられているため、横揺れ等に対して、一層十分な強度が得られる。
【図面の簡単な説明】
【図１】本発明のフレーム構造の一実施形態の正面図である。
【図２】同じく側面図である。
【図３】図１における右側上下隅部の拡大縦断正面図である。
【図４】図１における右側上隅部の拡大分解斜視図である。
【図５】図１における右側下隅部の拡大分解斜視図である。
【符号の説明】
(１)フレーム
(２)支柱
(2a)内側片
(2b)外側片
(３)横連結杆
(3a)下片
(3b)切欠き
(3c)上片
(４)横連結杆
(4a)上片
(4b)垂下片
(５)脚杆
(６)アジャスタボルト
(７)係止孔
(８)切込孔
(９)装着孔
(10)上部カバー
(10a)閉塞板
(10b)板ばね
(11)腕片
(12)連結片
(13)フック片
(13a)傾斜部
(14)補強部材
(14a)当接片
(14b)側片
(15)支持溝
(16)係合孔
(17)固定金具
(18)支持片
(19)垂直板
(19a)上向きフック
(19b)下向きフック
(19c)凹入孔
(20)めねじ筒
(20a)筒体
(20b)基板
(20c)固定孔
(21)締付ねじ
(21a)ねじ部
(21b)頭部
(22)固定枠
(22a)上片
(22b)下片
(22c)側片
(22d)通孔
(23)係止孔
(24)装着孔
(25)通孔
(26)凹溝
(27)補強部材
(27a)当接片
(27b)係合孔
(28)連結部材
(28a)当接片
(28b)側片
(29)下向きフック
(30)ボルト
(31)ナット
【図１】
0003769500.tif 000002
【図２】
0003769500.tif 000003
【図３】
0003769500.tif 000004
【図４】
0003769500.tif 000005
【図５】
0003769500.tif 000006